(57)【特許請求の範囲】
【請求項１】
粘性流体を収容した容器内にポンプを上部より差入れ、上記ポンプを介して容器内の粘性流体を吸引して容器外部に吐出すると共に、上記ポンプの駆動軸をポンプ外の上記容器の底板面側に延伸させ、これに粘性流体撹拌羽根を取り付けた粘性流体供給ポンプに於いて、上記撹拌羽根と容器の内面の接触による容器の損傷を防止する損傷防止手段を設け、この損傷防止手段を、上記駆動軸の下端面の複数の雌ねじ穴に螺着される上記撹拌羽根の複数の取付ボルト孔の上記駆動軸下端面の円周方向に隣接し異常時に境界部が剪断されて上記駆動軸との係合が解かれる剪断用孔を設けて構成していることを特徴とする粘性流体供給ポンプ。
【請求項２】
粘性流体を収容した容器内にポンプを上部より差入れ、上記ポンプを介して容器内の粘性流体を吸引して容器外部に吐出すると共に、上記ポンプの駆動軸をポンプ外の上記容器の底板面側に延伸させ、これに粘性流体撹拌羽根を取り付けた粘性流体供給ポンプに於いて、上記撹拌羽根と容器の内面の接触による容器の損傷を防止する損傷防止手段を設け、この損傷防止手段を、撹拌羽根に取付ボルト孔とこの取付ボルト孔の近傍に撹拌羽根の一部より切り起して異常時に剪断される突起部を設け、上記駆動軸の下端面に一つの撹拌羽根取付用雌ねじ穴と上記突起部が係合する穴を設けると共に、攪拌羽根に制動トルクが作用した時に取付ボルトが攪拌羽根により締め込まれることのないように取付ボルトのねじ方向を定めて構成していることを特徴とする粘性流体供給ポンプ。
【発明の詳細な説明】
【０００１】
【発明の属する技術分野】
本発明はグリース等の粘性流体を市販のドラム缶、ペール缶、角缶等の容器より直接吸引し、高圧力で且つ比較的少量ずつ吐出させることにより、産業機械等の給油箇所に直接又は分配弁を介して粘性流体を供給できるようにした粘性流体供給ポンプに関するものである。
【０００２】
【従来の技術】
従来より、市販のドラム缶、ペール缶や角缶等の容器に着脱可能に取り付け、これらの容器の内部に収容されたグリース等の粘性流体を吸引し、グリース等を各種産業機械に高圧力で且つ少量ずつ供給する粘性流体供給ポンプが存在し、これらの粘性流体供給ポンプには、吸込性能の向上を図る為と油面を略平滑にして空気の吸込みを防止する為に撹拌羽根が取り付けられている。例えば本件出願人の実開平４ー６６４９６号の第７図では、ポンプから下方へ突出した駆動軸の下端面に片持撹拌羽根が２本のボルトで取り付けてある。又同出願人の実公平６ー１７００４号の第１図では、ポンプから下方へ突出した駆動軸の下端部に左右に延びる撹拌羽根が４本のボルトで取り付けてある。
【０００３】
【発明が解決しようとする課題】
ドラム缶、ペール缶、角缶等が損傷していない場合は問題ないが、輸送中とか保管中にへこみが生じた容器の場合には、ポンプを差し入れて運転した場合、上記のへこみに撹拌羽根が接触し、結果的に容器が破れて粘性流体が流出する不具合が生ずることがある。本発明はこれらの不具合を解決する粘性流体供給ポンプを提供する。
【０００４】
【課題を解決するための手段】
請求項１の発明は、粘性流体を収容した容器内にポンプを上部より差入れ、上記ポンプを介して容器内の粘性流体を吸引して容器外部に吐出すると共に、上記ポンプの駆動軸をポンプ外の上記容器の底板面側に延伸させ、これに粘性流体撹拌羽根を取り付けた粘性流体供給ポンプに於いて、上記撹拌羽根と容器の内面の接触による容器の損傷を防止する損傷防止手段を設け、この損傷防止手段を、上記駆動軸の下端面の複数の雌ねじ穴に螺着される上記撹拌羽根の複数の取付ボルト孔の上記駆動軸下端面の円周方向に隣接し異常時に境界部が剪断されて上記駆動軸との係合が解かれる剪断用孔を設けて構成していることを特徴とする粘性流体供給ポンプである。
【０００５】
請求項２の発明は、粘性流体を収容した容器内にポンプを上部より差入れ、上記ポンプを介して容器内の粘性流体を吸引して容器外部に吐出すると共に、上記ポンプの駆動軸をポンプ外の上記容器の底板面側に延伸させ、これに粘性流体撹拌羽根を取り付けた粘性流体供給ポンプに於いて、上記撹拌羽根と容器の内面の接触による容器の損傷を防止する損傷防止手段を設け、この損傷防止手段を、撹拌羽根に取付ボルト孔とこの取付ボルト孔の近傍に撹拌羽根の一部より切り起して異常時に剪断される突起部を設け、上記駆動軸の下端面に一つの撹拌羽根取付用雌ねじ穴と上記突起部が係合する穴を設けると共に、攪拌羽根に制動トルクが作用した時に取付ボルトが攪拌羽根により締め込まれることのないように取付ボルトのねじ方向を定めて構成していることを特徴とする粘性流体供給ポンプである。
【０００６】
【発明の実施の形態】
図１〜図４は本発明の一実施例を示すものであり、図５〜図８は別の実施例を示すものである。図１〜図３に於いて、１はポンプ駆動軸Ｓの下端面Ｓ１に取り付けられる粘性流体撹拌羽根であって、ポンプＰ外の容器１０（ペール缶、角缶、ドラム缶等で内部に粘性流体１２が入れてある）の底板面Ｙ上に向い下向きに延伸させたポンプ駆動軸Ｓの下端面Ｓ１に２本のボルトＢにて取り付けられる。Ｓ３は駆動軸Ｓに設けた２本のボルトＢが螺合する雌ねじ穴である。撹拌羽根１には２個のボルト取付孔２が駆動軸Ｓの回転中心Ｃ（図３）に対して対称に設けられている。ボルト取付孔２は駆動軸下端面Ｓ１の例えば同一円周上等間隔に２個以上（複数個）、例えば３個設けることもできる。３は取付ボルト孔２のサークルピッチＺ（図１）上の隣接取付ボルト孔２、２間に配設されたやゝ大径の剪断用孔（捨て孔）である。取付ボルト孔２と剪断用孔３の間の境界部１１（これらにより損傷防止手段Ｄが構成される）の距離Ｔは後述する条件により定められる。即ち、使用する撹拌羽根１の材質と、使用するモータの駆動トルクとにより定められ、通常の粘性流体の撹拌には充分な強度を有するも、容器１０のへこみ部分の内面との接触（衝突）により駆動トルクが増大した場合は剪断されるような最適値Ｔに定める。
【０００７】
従って、剪断用孔３は図１のような大きな丸孔形状から、図４のようなボルト取付孔２と同一径の丸孔形状（損傷防止手段Ｄ１）も選択可能になる。尚、剪断用孔３は丸に限定されることなく、長孔でも多角形孔でもよい。
【０００８】
以上説明した撹拌羽根１を駆動軸下端面Ｓ１に取り付けてポンプＰを運転する場合、万一容器１０にへこみが発生していて撹拌羽根１が容器内面に接触した場合、過大トルクとなり、取付ボルト孔２と剪断用孔３との間の境界部１１が剪断され、双方が連通することになり、駆動軸Ｓは回転するも撹拌羽根１は停止することになり、容器の損傷（破れ）が阻止される。
【０００９】
図５から図８に示す別の実施例のものは、撹拌羽根１ａの１個の取付ボルト孔２ａの近傍に撹拌羽根１ａの一部を切り起こし隆起させて突起部４を形成し、この突起部４が嵌入できる穴Ｓ２を駆動軸Ｓの下端面Ｓ１に設けたものである（損傷防止手段Ｄ２）。この突起部４は上述した図１から図４の実施例のように、万一容器にへこみが発生していて撹拌羽根１ａが接触した場合、過大トルクにより突起部４が剪断されるか曲げられて穴Ｓ２から脱出し、駆動軸Ｓと羽根１ａとは１本の取付ボルトＢ１（左ねじ）のみによる係合となり、撹拌羽根１ａに制動トルクが作用し、駆動軸Ｓの回転方向が図５の矢印Ａ方向であってもボルトＢ１が撹拌羽根１ａにより締め込まれることによるロックは発生せず、羽根１ａはスリップする。従って容器の損傷（破れ）を阻止することができる。
【００１０】
【発明の効果】
ドラム缶、ペール缶、角缶等の容器に輸送中とか保管中にへこみが生じ、そのような容器内にポンプを差し入れて運転した場合、上記のへこみに対応する容器内面に撹拌羽根が接触しても、損傷防止手段が作用し、容器が破れて粘性流体が流出する不具合を確実に回避することができる。
請求項１の実施例である図１に於いて、羽根１が矢印Ａ方向に回転中に容器の内面に接触又は衝突して衝撃力を受けると、境界部１１が剪断されて孔２、３が円周方向に連通し、羽根１は容器の内面に係合した状態で静止し、ボルトＢ（図３）は連通した孔２、３内を自由に通過するのでポンプ駆動軸Ｓは羽根１を残して回転する。この為、羽根１による容器の損傷は防止される。図４の実施例に於いても同様である。
請求項２の実施例を示す図７に於いて、羽根１ａが容器の内面に接触又は衝突して衝撃を受けると、穴Ｓ２内の突起部４が剪断され、羽根１ａは容器の内面に接触した状態で停止したまゝ駆動軸Ｓとの縁が切れ、従って羽根１ａによる容器の損傷は防止される。いずれの実施例も構造が簡単な為、安価に製造できる利点がある。
【図面の簡単な説明】
【図１】請求項１の一つの実施例に於ける撹拌羽根の平面図である。
【図２】図１の一部縦断II−II矢視正面図である。
【図３】図１のIII −III 断面部分図である
【図４】別の実施例に於ける図１の一部に対応する図面である。
【図５】請求項２の一つの実施例に於ける撹拌羽根の平面図である。
【図６】図５の一部縦断VI−VI矢視正面図である。
【図７】図５のVII −VII 断面部分図である。
【図８】図７のVIII−VIII矢視下面図である。
【符号の説明】
１、１ａ          粘性流体撹拌羽根
２、２ａ          取付ボルト孔
３                剪断用孔
４                突起部
１０              容器
１１              境界部
１２              粘性流体
Ｄ、Ｄ１、Ｄ２    損傷防止手段
Ｐ                ポンプ
Ｓ                駆動軸
Ｓ１              下端面
Ｓ２              穴
Ｓ３              雌ねじ穴
Ｙ                底板面
【図１】
0003550470.tif 000002
【図２】
0003550470.tif 000003
【図３】
0003550470.tif 000004
【図４】
0003550470.tif 000005
【図５】
0003550470.tif 000006
【図６】
0003550470.tif 000007
【図７】
0003550470.tif 000008
【図８】
0003550470.tif 000009